(57)【特許請求の範囲】
【請求項１】
軸部と、該軸部を中心とする弾性体からなる円周部と、該軸部と該円周部とを接続し弾性体からなる接続部とを備えたローラであって、
上記接続部は、
上記軸部から上記円周部へ螺旋状となる空洞を複数設け、
上記空洞が上記軸部から上記円周部にかけて次第に細くなり、
上記軸部から上記円周部へのいずれの半径方向にも上記空洞が存在することを特徴とする
ローラ。
【請求項２】
回転して紙葉類を繰出すフィードローラと、積層した前記紙葉類を分離するゲートローラとの外周に設けた複数の円盤状に形成した双方の突起部の接合面が互いにオーバーラップするように設け、上記ローラのそれぞれの円周面上に沿って前記紙葉類を１枚毎に分離して繰出す紙葉類繰出装置であって、
軸部と、該軸部を中心とし弾性体からなる複数のリブを螺旋状に設けた接続部とを当該ローラに備えると共に、上記接続部に上記軸部から上記円周部へ螺旋状となる空洞を複数設け、上記空洞が上記軸部から上記円周部にかけて次第に細くなる形状に形成したローラを、上記フィードローラとゲートローラの少なくとも１つに用いた
紙葉類繰出装置。
【請求項３】
前記ローラにおけるリブの軸側から円周部側に向かう螺旋方向を、
紙葉類の繰出し動作時において、上記円周部と搬送される紙葉類との交点で、上記円周部が受ける紙葉類の搬送負荷に対して、前記リブが押されて後退する後退方向に形成した
請求項２に記載の紙葉類繰出装置。
【発明の詳細な説明】
【０００１】
【発明の属する技術分野】
この発明は積層した紙葉類を１枚ずつ繰り出すために用いるようなローラおよび該ローラを使用した紙葉類繰出装置に関する。
【０００２】
【従来の技術】
従来、積層した紙葉類を１枚ずつ繰り出す方法としてオーバーラップ方式（特許文献1参照）やリタード方式（特許文献２を参照）を採用した紙葉類繰出装置が存在している。
前記オーバーラップ方式（特許文献1参照）とは、紙葉類を繰り出すために送り力を有して回転するフィードローラと、繰出時は静止するゲートローラとをオーバーラップさせ、前記フィードローラと前記ゲートローラに挟まれて紙葉類が波状に変形する時に発生する力を利用し、紙葉類と各ローラに摩擦力を生じさせて１枚ずつ分離する方式である。
【０００３】
なお、ここでのオーバーラップとは、例えば円周部に回転方向の溝を二つ有するフィードローラに対し、前記溝にゲートローラの外周が少し入るように微妙に重ねるようにした形態である。
【０００４】
【特許文献１】
特開２０００−２０３７３５号公報
【特許文献２】
特開平８−８１０７９号公報。
【０００５】
【発明が解決しようとする課題】
しかし、前記オーバーラップ方式は（特許文献１参照）、各ローラのオーバーラップ量に対して厳しい精度が要求されるため、精度の高いローラが必要である。例えば、紙葉類処理装置を製造する過程において、厚さの厚い紙葉類を使用するときは、オーバーラップ量の再調整が必要となるという欠点が存在する。
【０００６】
例えば、厚さの異なる紙幣を扱う場合では、国によって紙幣の厚さが異なっているため、別個の調整が必要となり、紙幣を分離させるためにオーバーラップ量の微調整が必要とする。
【０００７】
また、紙葉類繰出装置内で折れて格納された紙葉類を繰出そうとした場合には、重なった厚みのために詰まってしまう場合もある。この場合は自動排除することができず人手で紙幣を除去しなくてはならない。
【０００８】
さらに、剛性の低い紙幣を繰出す際には、紙幣の連れ出しが発生してしまう場合も考えられる。なお、上述した紙幣の連れ出しとは、紙幣の複数枚が重なった状態で同時に繰出される現象のことをいう。
【０００９】
例えば、新札の場合は剛性が高いため、新札に合せてオーバーラップ量を調整する。この場合、流通による損傷が大きく剛性が低下した古い札（すなわち波状変形しやすい古い札）の分離性能が低下する。
【００１０】
また、リタード方式は（特許文献２参照）、フィードローラより軟らかいゴム状弾性材でリタードローラを形成し、繰出し時に複数枚の紙葉類が同時に送り込まれたとき、リタードローラのニップ部分（接触部分）を凹状に変形させて、送り込まれた全ての紙葉類の先端側をリタードローラに直接接触させて分離させることを技術的目的としているため、すなわち、リタードローラのリップ部分を凹状に変形させることを目的としているため、１種類の紙葉類の分離には有効であるも、厚さや剛性の異なる紙葉類を扱う場合では、変形することが災いして全紙葉類に対して安定した分離作用が得られない。
【００１１】
この発明は、耐磨耗性に優れたローラを提案し、さらに、該ローラを備えた紙葉類繰出装置を提案し、搬送対象の紙葉類に厚みや剛性の影響を受けずに紙葉類を繰出し、紙葉類の厚みにばらつきがあっても確実に搬送させることを目的とする。
【００１２】
【課題を解決するための手段】
この発明は、軸部と、該軸部を中心とする弾性体からなる円周部と、該軸部と該円周部とを接続し弾性体からなる接続部とを備えたローラであって、上記接続部は、上記軸部から上記円周部へ螺旋状となる空洞を複数設け、上記空洞が上記軸部から上記円周部にかけて次第に細くなり、上記軸部から上記円周部へのいずれの半径方向にも上記空洞が存在するローラであることを特徴とする。
【００１３】
さらに、この発明は、回転して紙葉類を繰出すフィードローラと、積層した前記紙葉類を分離するゲートローラとの外周に設けた複数の円盤状に形成した双方の突起部の接合面が互いにオーバーラップするように設け、上記ローラのそれぞれの円周面上に沿って前記紙葉類を１枚毎に分離して繰出す紙葉類繰出装置であって、軸部と、該軸部を中心とし弾性体からなる複数のリブを螺旋状に設けた接続部とを当該ローラに備えると共に、上記接続部に上記軸部から上記円周部へ螺旋状となる空洞を複数設け、上記空洞が上記軸部から上記円周部にかけて次第に細くなる形状に形成したローラを、上記フィードローラとゲートローラの少なくとも1つに用いた紙葉類繰出装置であることを特徴とする。
【００１４】
上記紙葉類繰出装置の形態として、前記ローラにおけるリブの軸側から円周部側に向かう螺旋方向を、紙葉類の繰出し動作時において、上記円周部と搬送される紙葉類との交点で、上記円周部が受ける紙葉類の搬送負荷に対して、前記リブが押されて後退する後退方向に形成することができる。
【００１５】
この発明の上記ローラによれば、該ローラの外周部から軸心方向への力を受けると、リブや空洞の軸心側を変形させ、円周部が変形することなく、該円周部を軸心側に変位させることができる。
【００１６】
前記ローラは、硬質又は軟質のゴム材等摩擦部材で形成することができる。また、前記ローラ外観は、円板に形成することができる。
【００１７】
この発明の上記紙葉類繰出装置によれば、紙葉類の繰出し動作時に、上述の特定した構成のローラで形成したフィードローラまたはゲートローラの少なくとも１つが紙葉類と接触したときに、その繰出し負荷（紙葉類の搬送負荷）のため、ローラのリブおよび空洞の軸心側が変形し、円周部はほとんど変形することなく、紙葉類と接触した個所の該円周部を軸心側に変位させることができる。
【００１８】
前記紙葉類は、紙幣、小切手、証券、印刷物、紙、又はこれらの複数で構成することを含む。
【００１９】
【発明の効果】
この発明のローラによれば、該ローラの外周部から軸心方向への力を受けると、リブの軸心側を変形し、円周部が変形することなく、該円周部が軸心側に変位するので、その円周部の摩擦力を確保した上で該円周部の変位を許容することがでる。
【００２０】
さらに、円周部に高硬度部材を使用しても、必要な円周部の変位が得られ、その結果、柔軟性および対磨耗性に優れたローラを得ることができる。
【００２１】
この発明の紙葉類繰出装置によれば、紙葉類の繰出しを確実に実行すると共に、紙葉類の剛性および厚みの範囲も広く、多種類の紙葉類を処理することが可能である。
【００２２】
【発明の実施の形態】
この発明の一実施形態を以下図面と共に説明する。
まず、図１、図２と共に、紙幣集積繰出装置１の外観とその構造について説明する。
図１は紙幣集積繰出装置１の斜視図を示しており、該紙幣集積繰出装置１は外形を箱型に形成し、内部に紙幣を積層して集積する集積空間３を有し、該集積空間３の底部に紙幣大の昇降板１１を備えている。
【００２３】
前記昇降板１１は、水平状態での上下動が可能なようにガイドされている。さらに、固着部１２で固定した昇降ベルト１３を正逆転モータ（パルスモータ）１４の回転力で正逆に回転させることで、前記昇降板１１を上下動制御する。
【００２４】
紙幣集積繰出装置１の上部には、紙幣を繰出方向又は集積方向に搬送する円柱形のフィードローラ３１，３１をフィード軸３２に固着し、該フィード軸３２を横方向に架設して軸受する。なお、高摩擦かつ高硬度部材である硬質ゴム材で前記フィードローラ３１を形成している。
【００２５】
前記フィード軸３２の右端には、歯車３４を固着する。該歯車３４には歯車４３をかみ合わせ、該歯車４３及び正逆転モータ４１に固着した歯車４２を介して、正逆転モータ４１の回転力を伝達し、前記フィード軸３２を回転駆動する。
前記フィード軸３２の左端には、歯車３３を固着し、前記フィード軸３２の手前下に軸受して備えたゲート軸２２に歯車２４を介して動力を伝達する。
【００２６】
前記歯車２４は、前記ゲート軸２２の左端に備えており、歯車２４に内蔵してワンウェイクラッチ２３（図示省略）を備える。該ワンウェイクラッチ２３は、紙幣を集積する集積動作時にはゲート軸２２を正回転させ、紙幣を繰り出す繰出動作時にはゲート軸２２を前記正逆転モータ４１の駆動力で逆回転させないように構成する。
【００２７】
前記歯車２４の右横には、繰出動作時に回転を防止するもうひとつのワンウェイクラッチ２３を備えており、集積動作時にはゲート軸２２の正回転を許容し、繰出動作時にはゲート軸２２を後述のフィードローラ３１の影響で逆回転させないよう固定するように構成する。これら２つのワンウェイクラッチ２３により、集積動作時に前記ゲート軸２２が必ず正回転し、繰出動作時には非回転となって前記ゲート軸２２が固定するように構成する。
【００２８】
前記ゲート軸２２に、高摩擦かつ高硬度部材である硬質ゴム材で後述する柔軟構造に形成したゲートローラ２５，２５を固着させ、前記フィードローラ３１と対向させ、ローラ外周に設けた複数の突起部を互いにオーバーラップさせた状態に保つ。
【００２９】
前記ゲート軸２２の右端は、集積空間３の外側で位置決め板４４に軸受されており、同様に該位置決め板４４に軸受されているフィード軸３２と共に、右端を位置決めする。
【００３０】
フィードローラ３１の後方には、図２の右側面断面図に示すように、プーリ６４にベルト６２を張架したベルト駆動部６１を備える。該ベルト駆動部６１は、集積動作時と繰出動作時で、奥側のプーリ６４を中心に上下遥動し、繰出時には集積された紙幣２と接触してこれを繰出方向に送出するように働く。また集積時には奥側のプーリを中心に上側に揺動することで、
集積する紙幣2と接触しないように働く。
【００３１】
紙幣を搬送する搬送路５１は、フィードローラ３１の外周よりわずかに内側の位置で上、手前、下をガイドしてそのまま後方へ水平に伸びるガイド板５３と、紙幣集積繰出装置１の上端手前の紙幣繰出口５４から真下に伸びて一部フィードローラ３１の外周に沿って湾曲した後再度真下に伸びるガイド板５２によって形成する。
前記紙幣繰出口５４の少し後方には紙幣投入口５５を備えており、該紙幣投入口５５及び紙幣繰出口５４は内部で統合されて前記搬送路５１につながっている。
【００３２】
以上の構成及び構造により、集積時には、フィードローラ３１は集積方向（図２では反時計回り）に回転して、紙幣投入口５５から搬入された紙幣２が、フィードローラ３１の搬送力を受けて搬送路５１内を搬送され、集積空間３に放出されて昇降板１１の上に集積される。
【００３３】
また繰出時には、フィードローラ３１は繰出方向（図３では時計回り）に回転して、ベルト駆動部６１でピックアップされた紙幣２がフィードローラ３１の搬送制御と柔軟構造のゲートローラ２５の一枚出し制御を受け、前記搬送路５１を逆に搬送されて紙幣繰出口５４から繰出される。
【００３４】
図３は、繰出動作時における右側面断面図を示す。
ベルト駆動部６１は、図に示すように下げられた状態になっており、平積みされている紙幣２をピックアップして搬送路５１に送り出す。
【００３５】
このとき、フィードローラ３１は集積時に対して回転方向が逆になっているが、図１と共に説明した２つのワンウェイクラッチ２３によってゲート軸２２は非回転となっており、ゲート軸２２に固着されているゲートローラ２５も非回転となっている。
【００３６】
これにより、ベルト駆動部６１で繰り出そうとする紙幣２に連れ出される２枚目以降の紙幣２を、ゲートローラ２５の摩擦力で係止する。
搬送路５１に送り出された紙幣２は、フィードローラ３１で上方へ送り出され、紙幣繰出口５４から繰り出される。
【００３７】
以上の繰出動作により、ゲートローラ２５によって１枚ずつ分離して繰り出される。このとき、紙幣２の剛性が異なっても、ゲートローラ２５の柔軟構造の弾力性によって、紙幣２の剛性に対応して柔軟にゲートローラ２５の変位量が変化する。
【００３８】
次に、ゲートローラ２５の柔軟構造について、図４（ａ）に示す斜視図を用いて説明すると共に、繰出動作時の状態について図５、及び図６の動作説明図と共に説明する。
【００３９】
ゲートローラ２５は、中心にゲート軸２２（図１）を通す円柱状で、側面に対して垂直方向に貫通して螺旋状の孔を開けた形状に形成する。
さらに、外周部２５ａと軸心部２５ｃを６つのリブ２５ｂで接続して形成している。また、前記リブ２５ｂは、軸心部２５ｃ側を細く外周部２５ａに向かって次第に太くなる形状に形成している。
【００４０】
さらに、上述の各リブ２５bは螺旋状に形成しており、この螺旋方向（傾き方向）、すなわち、軸心部２５cから外周部２５a側に向かう螺旋方向を、図４（a）に示すように反時計方向、すなわち、紙幣２の繰出し動作時（図３に対応）において、外周部２５aと搬送方向ｘに搬送される紙幣２との交点ｙで、紙幣２の搬送負荷（搬送方向ｘから受ける力）に対して、これに対向するリブ２５bが押されて後退する後退方向（図３で反時計方向）に形成している。
【００４１】
前記外周部２５ａ、６つのリブ２５ｂ、及び軸心部２５ｃは、硬質のゴム材で一体成形し、各リブ２５ｂ間の隙間も、上記軸心部２５ｃから上記外周部２５ａにかけて次第に細くなる形状に形成した螺旋状の空洞２５ｄを形成する。
【００４２】
この空洞２５ｄの軸心部２５ｃから外周部２５ａに向かう螺旋方向も前述したリブ２５ｂと同様に、図４（a）に示すように反時計方向、すなわち、紙幣２の繰出し動作時（図３に対応）において、外周部２５aと搬送方向ｘに搬送される紙幣２との交点ｙで、紙幣２の搬送負荷（搬送方向ｘから受ける力）に対して、これに対向するリブ２５bが押されて後退する後退方向（図３で反時計方向）に形成している。また、その形状も上記軸心部２５ｃから上記外周部２５ａにかけて次第に細くなる形状に形成している。
【００４３】
以上の構造により、ゲートローラ２５は、外周から軸心方向への紙幣２の搬送負荷の力を受けると、これと対向するリブ２５ｂが細くなっているところで、リブ２５ｂが押されて後退する後退方向に変形し、外周部２５ａは殆ど変形することなく、外周部２５ａを軸心側に変位させることができる。
【００４４】
また、リブ２５ｂの軸心側の端部は、ゲートローラ２５の幅に厚みがあるため、軸心方向と傾きをもって変形することはなく、軸心に向かって真直ぐに外周部２５ａが変位する。
なお、図４（ｂ）は、フィードローラ３１に上述したゲートローラ２５と同様の柔軟構造を採用した例を示し、その詳細は後述する。
【００４５】
前記構造のゲートローラ２５は、通常時、すなわち図５の（Ａ）に示す正面図のように、紙幣２がフィードローラ３１とゲートローラ２５の間に挿入される前は、図６の（Ａ）の右側面図に示すようにゲートローラ２５は変形しておらず、通常状態となっている。
【００４６】
なお、前記フィードローラ３１は図に示すように三個一組で使用し、前記ゲートローラ２５は、二個一組で使用する。これらは、三個のフィードローラ３１の隙間に二個のゲートローラ２５の各外周が少し入り込む（オーバーラップさせる）ようにして構成し、紙幣２を平面視Ｍ型に変形させて繰り出し、又は集積するように構成している。
【００４７】
ここに剛性の低い紙幣２（例えば古い紙幣）が挿入されると、図５の（Ｂ）に示すように、紙幣２は大きく波状変形し、ゲートローラ２５は図６の（Ｂ）に示すように軸心側へ少し変形（収縮）し、紙幣２の接触する外周部２５ａが軸心側へ少し移動する。
これにより、剛性の低い紙幣２を繰出す際には、十分なオーバーラップ量により紙幣２の連れ出し防止に必要な摩擦力を得ることができる。
【００４８】
また、剛性の高い紙幣２（例えば新札）が挿入された場合には、図５の（Ｃ）に示すように紙幣２は少し波状変形し、ゲートローラ２５は図６の（Ｃ）に示すように軸側へ大きく変形（収縮）し、紙幣２の接触する外周部２５ａが軸心側へ大きく移動する。
【００４９】
オーバーラップ量に比例した紙幣の変化量が多いほど紙幣の元の状態に戻ろうとする復帰力が強くなるため、同じオーバーラップ量では、剛性の高い紙幣2を繰出すときのほうが、剛性の低い紙幣2を繰出すときよりも、摩擦力が大きくなることが考えられる。
【００５０】
よって、剛性の高い紙幣2を繰出す際には、上述のように、ゲートローラ２５の変形によってオーバーラップ量を減少させることで、摩擦力を減少させることになり、連れ出し防止に必要な摩擦力を得た上で、紙幣2が変形しきれず紙詰まりとなることを防止することができる。
【００５１】
以上のようにして、ゲートローラ２５の外周部２５ａの紙幣２との接触面（外周部２５ａ）を、フィードローラ３１とのオーバーラップ量と紙幣２の剛性とに依存する接触負荷によって、ゲートローラ２５の円周の曲率をほぼ維持した状態で軸心側へ変位させることができる。このため、ゲートローラ２５と紙幣２の交点ｙに対する紙幣２の突入角度がいかなる値であっても、安定した摩擦力で連れ出される紙幣２を抑止して一枚出しができ、許容する紙幣２の剛性及び厚みの幅を広く設定することが可能になる。
【００５２】
つまり、従来であれば図５（Ａ）図６（Ａ）のように剛性の低い紙幣２にあわせて設定した場合には、図５（Ｃ）のように剛性の高い紙幣２を繰り出そうとするとそれに必要な軸心側への変位が得られず、紙幣２が詰まる結果となっていたが、螺旋状の空洞２５ｄによって変位量が増加するため、このように剛性の異なる紙幣２にも対応できる。
【００５３】
このようにして、高硬度、高摩擦、かつ高弾力性のゲートローラ２５を使用することで、従来であれば対象となる紙幣２の剛性に合わせてゲートローラの材質（硬度）を検討し、位置決めによってオーバーラップ量を微調整していたのに対し、そのような微調整をせずとも、紙幣２の剛性に適応してゲートローラ２５の外周２５ａがリブ２５ｂの弾力性で自然に変位し、繰り出す紙幣２に適度なオーバーラップ量及び摩擦力が自然に得られることとなる。
【００５４】
以上の構成、構造、及び動作により、ゲートローラ２５を備えた紙幣集積繰出装置１は、剛性や厚みの異なる様々な紙幣２に対して繰り出し及び集積が可能となり、オーバーラップ方式による高速処理（繰出処理及び集積処理）が可能となる。
【００５５】
また、ゲートローラ２５に硬質ゴム材を用いても十分な変位量（変形量）が得られるため、オーバーラップ量を大きく設定することが可能となる。
また、このように十分な変位量が得られることで、ゲートローラ２５を高摩擦のゴム材で形成しても耐用期間を延長することができる。
【００５６】
すなわち、新品状態でゲートローラ２５の外周部２５ａを大きくオーバーラップさせ、繰り出し動作時の外周部２５ａの変位量を大きく設定しているため、摩耗によってゲートローラ２５の半径が減少した状態となっても、オーバーラップ量の減少と共に外周部２５ａの変位量が減少することとなり、摩耗したゲートローラ２５を継続して使用することができる。
これらにより、頻繁にゲートローラ２５を取り替えるといった人的なメンテナンスが不要となる。
【００５７】
前記オーバーラップは、軸心方向にずらした２つの円周が、軸心方向から見てわずかに重なる状態にローラを配置した形態をいう。また、フィードローラ３１とゲートローラ２５とを、同一半径の複数のローラを同軸に組合せた複合体ローラで形成し、第１複合体ローラと第２複合体ローラの円周がわずかに重なるように配置して形成しても良い。
【００５８】
さらに、前述の図４（ｂ）は、フィードローラ３１に上述したゲートローラ２５と同様の柔軟構造を採用した例を示し、フィードローラ３１は、中心にフィード軸３２（図１）を通す円柱状で、側面に対して垂直方向に貫通して螺旋状の孔を開けた形状に形成する。
【００５９】
さらに、外周部３１ａと軸心部３１ｃを６つのリブ３１ｂで接続して形成している。また、前記リブ３１ｂは、軸心部３１ｃ側を細く外周部３１ａに向かって次第に太くなる形状に形成している。
【００６０】
さらに、上述の各リブ３１bは螺旋状に形成し、この螺旋方向（傾き方向）、すなわち、軸心部３１cから外周部３１a側に向かう螺旋方向を、図４（ｂ）に示すように反時計方向、すなわち、紙幣２の繰出し動作時（図３に対応）において、外周部３１aと搬送方向ｘに搬送される紙幣２との交点ｙで、紙幣２の搬送負荷（搬送方向ｘから受ける力）に対して、これに対向するリブ２５bが押されて後退する後退方向（図３で反時計方向）に形成する。
【００６１】
前記外周部３１ａ、６つのリブ３１ｂ、及び軸心部３１ｃは、硬質のゴム材で一体成形し、各３１ｂ間の隙間も、上記軸心部３１ｃから上記外周部３１ａにかけて次第に細くなる形状に形成した螺旋状の空洞３１ｄを形成する。この空洞３１ｄの軸心部３１ｃから外周部３１ａに向かう螺旋方向も前述したリブ３１ｂと同様に、図４（ｂ）に示すように反時計方向、すなわち、紙幣２の繰出し動作時（図３に対応）において、外周部３１aと搬送方向ｘに搬送される紙幣２との交点ｙで、紙幣２の搬送負荷（搬送方向ｘから受ける力）に対して、これに対向するリブ３１bが押されて後退する後退方向（図３で反時計方向）に形成している。また、その形状も上記軸心部３１ｃから上記外周部３１ａにかけて次第に細くなる形状に形成している。
【００６２】
以上の構造により、フィードローラ３１は、外周から軸心方向への紙幣２の搬送負荷の力を受けると、これと対向するリブ３１ｂが細くなっているところで、リブ３１ｂが押されて後退する後退方向に変形し、外周部３１ａは殆ど変形することなく、外周部３１ａを軸心側に変位させることができる。
【００６３】
また、リブ３１ｂの軸心側の端部は、フィードローラ３１の幅に厚みがあるため、軸心方向と傾きをもって変形することはなく、軸心に向かって真直ぐに外周部３１ａが変位する。
【００６４】
なお、図1〜図3で説明したフィードローラ３１に図４ｂで示した柔軟構造のフィードローラ３１を用いて、ゲートローラ２５と共に両ローラ２５、３１を柔軟構造にすることができる。
【００６５】
この発明の構成と、上述の実施形態との対応において、
この発明の紙葉類繰出装置は、実施形態の紙幣集積繰出装置１及び紙幣繰出装置に対応し、
以下同様に、
紙葉類は、紙幣２に対応し、
ローラは、ゲートローラ２５及びフィードローラ３１に対応し、
円周部は、外周部２５ａ，３１ａに対応し、
接続部は、リブ２５ｂ，３１ｂ及び空洞２５ｄ，３１ｄに対応するも、
この発明は、上述の実施形態の構成のみに限定されるものではなく、多くの実施の形態を得ることができる。
【図面の簡単な説明】
【図１】紙幣集積繰出装置の外観斜視図。
【図２】紙幣集積繰出装置の右側面断面図。
【図３】紙幣集積繰出装置の右側面断面図。
【図４】ゲートローラの概観斜視図。
【図５】繰り出し紙の動作説明図。
【図６】繰り出し紙の動作説明図。
【符号の説明】
１…紙幣集積繰出装置
２…紙幣
２５…ゲートローラ
２５ａ，３１ａ…外周部
２５ｂ，３１ｂ…リブ
２５ｄ，３１ｄ…空洞
３１…フィードローラ
【図１】
0004090362.tif 000002
【図２】
0004090362.tif 000003
【図３】
0004090362.tif 000004
【図４】
0004090362.tif 000005
【図５】
0004090362.tif 000006
【図６】
0004090362.tif 000007